【手続補正書】
【提出日】平成15年10月29日(2003.10.29)
【手続補正１】
【補正対象書類名】明細書
【補正対象項目名】全文
【補正方法】変更
【補正の内容】
【発明の名称】液晶表示装置、及び該液晶表示装置における液晶パネルの駆動方法
【特許請求の範囲】
【請求項１】該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、
映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、
前記コモン電圧を生成するコモン電圧生成回路とを備えてなる液晶表示装置であって、
前記リファレンス電圧を前記液晶パネルにおける前記各液晶セルの位置に応じて最適なレベルで生成して前記液晶駆動回路に供給するリファレンス電圧生成回路が設けられ、かつ、
前記コモン電圧生成回路は、
前記コモン電圧を一定レベルの直流電圧として生成して前記液晶パネルの前記コモン電極に印加する構成とされていることを特徴とする液晶表示装置。
【請求項２】前記リファレンス電圧生成回路は、
前記リファレンス電圧を前記映像信号の１水平期間内で複数の液晶セル毎に変化させる構成とされていることを特徴とする請求項１記載の液晶表示装置。
【請求項３】前記リファレンス電圧生成回路は、
前記リファレンス電圧を前記映像信号の１垂直期間内で複数の液晶セル毎に変化させる構成とされていることを特徴とする請求項１記載の液晶表示装置。
【請求項４】前記リファレンス電圧生成回路は、
前記リファレンス電圧を前記映像信号の１水平期間内及び１垂直期間内で前記各液晶セル毎に変化させる構成とされていることを特徴とする請求項１記載の液晶表示装置。
【請求項５】前記リファレンス電圧生成回路は、
前記各液晶セルに対応する前記リファレンス電圧の値が格納されたＬＵＴ（ルック・アップ・テーブル）を有し、該ＬＵＴに基づいて前記リファレンス電圧を生成する構成とされていることを特徴とする請求項２、３又は４記載の液晶表示装置。
【請求項６】該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、
映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、
前記コモン電圧を生成するコモン電圧生成回路とを備えてなる液晶表示装置であって、
前記液晶パネルにおける前記各液晶セルの位置に応じて最適なレベルのオフセット電圧を生成し、前記映像信号に加えて前記液晶駆動回路に供給するオフセット回路が設けられ、かつ、
前記コモン電圧生成回路は、
前記コモン電圧を一定レベルの直流電圧として生成して前記液晶パネルの前記コモン電極に印加する構成とされていることを特徴とする液晶表示装置。
【請求項７】前記オフセット回路は、
前記オフセット電圧を前記映像信号の１水平期間内で複数の液晶セル毎に変化させる構成とされていることを特徴とする請求項６記載の液晶表示装置。
【請求項８】前記オフセット回路は、
前記オフセット電圧を前記映像信号の１垂直期間内で複数の液晶セル毎に変化させる構成とされていることを特徴とする請求項６記載の液晶表示装置。
【請求項９】前記オフセット回路は、
前記オフセット電圧を前記映像信号の１水平期間内及び１垂直期間内で前記各液晶セル毎に変化させる構成とされていることを特徴とする請求項１記載の液晶表示装置。
【請求項１０】該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、
映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、
前記コモン電圧を生成するコモン電圧生成回路とを備えてなる液晶表示装置において、前記液晶パネルを駆動するための駆動方法であって、
前記コモン電圧を一定レベルの直流電圧として生成しておき、
前記リファレンス電圧を前記液晶パネルにおける前記各液晶セルの位置に応じて最適なレベルで生成して前記液晶駆動回路に供給するリファレンス電圧生成供給処理を行うことを特徴とする液晶表示装置における液晶パネルの駆動方法。
【請求項１１】前記リファレンス電圧生成供給処理では、
前記リファレンス電圧を前記映像信号の１水平期間内で複数の液晶セル毎に変化させることを特徴とする請求項１０記載の液晶表示装置における液晶パネルの駆動方法。
【請求項１２】前記リファレンス電圧生成供給処理では、
前記リファレンス電圧を前記映像信号の１垂直期間内で複数の液晶セル毎に変化させることを特徴とする請求項１０記載の液晶表示装置における液晶パネルの駆動方法。
【請求項１３】前記リファレンス電圧生成供給処理では、
前記リファレンス電圧を前記映像信号の１水平期間内及び１垂直期間内で前記各液晶セル毎に変化させることを特徴とする請求項１０記載の液晶表示装置における液晶パネルの駆動方法。
【請求項１４】該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、
映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、
前記コモン電圧を生成するコモン電圧生成回路とを備えてなる液晶表示装置において、前記液晶パネルを駆動するための駆動方法であって、
前記コモン電圧を一定レベルの直流電圧として生成しておき、
前記液晶パネルにおける前記各液晶セルの位置に応じて最適なレベルのオフセット電圧を生成し、前記映像信号に加えて前記液晶駆動回路に供給するオフセット電圧生成供給処理を行うことを特徴とする液晶表示装置における液晶パネルの駆動方法。
【請求項１５】前記オフセット電圧生成供給処理では、
前記オフセット電圧を前記映像信号の１水平期間内で複数の液晶セル毎に変化させることを特徴とする請求項１４記載の液晶表示装置における液晶パネルの駆動方法。
【請求項１６】前記オフセット電圧生成供給処理では、
前記オフセット電圧を前記映像信号の１垂直期間内で複数の液晶セル毎に変化させることを特徴とする請求項１４記載の液晶表示装置における液晶パネルの駆動方法。
【請求項１７】前記オフセット電圧生成供給処理では、
前記オフセット電圧を前記映像信号の１水平期間内及び１垂直期間内で前記各液晶セル毎に変化させることを特徴とする請求項１４記載の液晶表示装置における液晶パネルの駆動方法。
【発明の詳細な説明】
【０００１】
【発明の属する技術分野】
この発明は、液晶表示装置、及び該液晶表示装置における液晶パネルの駆動方法に係り、たとえば液晶プロジェクタなど、フリッカの低減された高品位の画面が必要な場合に用いて好適な液晶表示装置、及び該液晶表示装置における液晶パネルの駆動方法に関する。
【０００２】
【従来の技術】
液晶表示装置では、液晶の劣化対策として、同液晶に印加される電圧の極性が所定の周期で反転されるように、交流駆動が行われる。
【０００３】
この種の液晶表示装置は、従来では例えば図１１に示すように、液晶パネル１０と、液晶駆動回路２０と、コモン電圧生成回路３０とから構成されている。
液晶パネル１０は、図１２に示すように、該当する画素データＤが印加される複数の信号線Ｘ1 ，…，Ｘi ，…，Ｘn 、走査信号Ｖが印加される複数の走査線Ｙ1 ，…，Ｙj ，…，Ｙm 、各信号線Ｘ1 ，…，Ｘi ，…，Ｘn と各走査線Ｙ1 ，…，Ｙj ，…，Ｙm との交差箇所に設けられた複数のMOSFET１１ij（ｉ＝１，２，…，ｎ、ｊ＝１，２，…，ｍ）、液晶セル１２ij（ｉ＝１，２，…，ｎ、ｊ＝１，２，…，ｍ）、コンデンサ１３ij（ｉ＝１，２，…，ｎ、ｊ＝１，２，…，ｍ）、各コンデンサ１３ijに共通に接続されたＣｓ線、及び各液晶セル１２ijに共通に接続されてコモン電圧Ｖcom が印加されるコモン電極１４を有し、走査信号Ｖによって選択された走査線Ｙ1 ，…，Ｙj ，…，Ｙm 上の液晶セル１２ijに画素データＤを供給することによって画像を表示する。
【０００４】
液晶駆動回路２０は、映像信号ｉｎに対応した画素データＤの極性を１水平期間毎にリファレンス電圧Ｖｆを中心として反転して液晶パネル１０の各信号線Ｘ1 ，…，Ｘi ，…，Ｘn に印加すると共に、設定された順序で走査信号Ｖを各走査線Ｙ1 ，…，Ｙj ，…，Ｙm に印加する。コモン電圧生成回路３０は、コモン電圧Ｖcom を生成する。
【０００５】
この液晶表示装置では、図１３に示すように、液晶パネル１０に一定レベルのコモン電圧Ｖcom が供給されると共に、液晶駆動回路２０に一定レベルのリファレンス電圧Ｖｆが供給され、画素データＤに対応した画像が表示される。この画素データＤは、１水平期間毎にリファレンス電圧Ｖｆを中心として反転されている。また、コモン電圧Ｖcom は、画素データＤが反転することによって発生するフリッカ（ちらつき）が最少になるように調整されている。
【０００６】
【発明が解決しようとする課題】
しかしながら、上記従来の液晶表示装置では、次のような問題点があった。
すなわち、従来では、コモン電圧Ｖcom のみを調整することにより、フリッカが最小となるように調整が行われる。ところが、コモン電極１４は液晶パネル１０内の全域にわたって配設されているため、コモン電圧Ｖcom が同コモン電極１４の抵抗成分による電圧降下などの要因により同液晶パネル１０内の全域にわたって一様になっていないことが多い。このため、フリッカが最少となるコモン電圧com が液晶パネル１０内においてばらつき、同液晶パネル１０内全域においてフリッカが最小となる調整ができないことがある。たとえば、液晶パネル１０の周辺部分の領域におけるフリッカが最小となるコモン電圧com と、同液晶パネル１０の中央付近の領域におけるフリッカが最小となるコモン電圧com とが異なるため、同液晶パネル１０の全域でフリッカが最小となるコモン電圧com の調整ができないという現象が発生する。この結果、表示画面の品位が低下するという問題があった。
【０００７】
この問題点を改善するものとして、特開2000-305063 号公報に記載された液晶表示装置が提案されている。同公報に記載された液晶表示装置では、液晶パネルの面内の左右両側におけるフリッカ調整を最適にできるように、左右からそれぞれコモン電圧が供給されるようになっている。この場合、液晶パネルの左右両側でそれぞれ最適なコモン電圧が供給され、液晶パネルの面内のフリッカがほぼ一様になる効果が期待できるが、同液晶パネル自体を特殊な構成にする必要があり、その実現は容易ではない。さらに、液晶パネルの両側と中央部とでは最適なコモン電圧が異なり、結局、液晶パネル面内のフリッカが低減されない。特に、液晶パネルのサイズが大きくなると、その傾向は顕著である。
【０００８】
この発明は、上述の事情に鑑みてなされたもので、液晶パネルの面内の全域におけるフリッカを低減した液晶表示装置、及び該液晶表示装置における液晶パネルの駆動方法を提供することを目的としている。
【０００９】
【課題を解決するための手段】
上記課題を解決するために、請求項１記載の発明は、該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、前記コモン電圧を生成するコモン電圧生成回路とを備えてなる液晶表示装置に係り、前記リファレンス電圧を前記液晶パネルにおける前記各液晶セルの位置に応じて最適なレベルで生成して前記液晶駆動回路に供給するリファレンス電圧生成回路が設けられ、かつ、前記コモン電圧生成回路は、前記コモン電圧を一定レベルの直流電圧として生成して前記液晶パネルの前記コモン電極に印加する構成とされていることを特徴としている。
【００１０】
請求項２記載の発明は、請求項１記載の液晶表示装置に係り、前記リファレンス電圧生成回路は、前記リファレンス電圧を前記映像信号の１水平期間内で複数の液晶セル毎に変化させる構成とされていることを特徴としている。
【００１１】
請求項３記載の発明は、請求項１記載の液晶表示装置に係り、前記リファレンス電圧生成回路は、前記リファレンス電圧を前記映像信号の１垂直期間内で複数の液晶セル毎に変化させる構成とされていることを特徴としている。
【００１２】
請求項４記載の発明は、請求項１記載の液晶表示装置に係り、前記リファレンス電圧生成回路は、前記リファレンス電圧を前記映像信号の１水平期間内及び１垂直期間内で前記各液晶セル毎に変化させる構成とされていることを特徴としている。
【００１３】
請求項５記載の発明は、請求項２、３又は４記載の液晶表示装置に係り、前記リファレンス電圧生成回路は、前記各液晶セルに対応する前記リファレンス電圧の値が格納されたＬＵＴ（ルック・アップ・テーブル）を有し、該ＬＵＴに基づいて前記リファレンス電圧を生成する構成とされていることを特徴としている。
【００１４】
請求項６記載の発明は、該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、前記コモン電圧を生成するコモン電圧生成回路とを備えてなる液晶表示装置に係り、前記液晶パネルにおける前記各液晶セルの位置に応じて最適なレベルのオフセット電圧を生成し、前記映像信号に加えて前記液晶駆動回路に供給するオフセット回路が設けられ、かつ、前記コモン電圧生成回路は、前記コモン電圧を一定レベルの直流電圧として生成して前記液晶パネルの前記コモン電極に印加する構成とされていることを特徴としている。
【００１５】
請求項７記載の発明は、請求項６記載の液晶表示装置に係り、前記オフセット回路は、前記オフセット電圧を前記映像信号の１水平期間内で複数の液晶セル毎に変化させる構成とされていることを特徴としている。
【００１６】
請求項８記載の発明は、請求項６記載の液晶表示装置に係り、前記オフセット回路は、前記オフセット電圧を前記映像信号の１垂直期間内で複数の液晶セル毎に変化させる構成とされていることを特徴としている。
【００１７】
請求項９記載の発明は、請求項１記載の液晶表示装置に係り、前記オフセット回路は、前記オフセット電圧を前記映像信号の１水平期間内及び１垂直期間内で前記各液晶セル毎に変化させる構成とされていることを特徴としている。
【００１８】
請求項１０記載の発明は、該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、前記コモン電圧を生成するコモン電圧生成回路とを備えてなる液晶表示装置において、前記液晶パネルを駆動するための駆動方法に係り、前記コモン電圧を一定レベルの直流電圧として生成しておき、前記リファレンス電圧を前記液晶パネルにおける前記各液晶セルの位置に応じて最適なレベルで生成して前記液晶駆動回路に供給するリファレンス電圧生成供給処理を行うことを特徴としている。
【００１９】
請求項１１記載の発明は、請求項１０記載の液晶表示装置における液晶パネルの駆動方法に係り、前記リファレンス電圧生成供給処理では、前記リファレンス電圧を前記映像信号の１水平期間内で複数の液晶セル毎に変化させることを特徴としている。
【００２０】
請求項１２記載の発明は、請求項１０記載の液晶表示装置における液晶パネルの駆動方法に係り、前記リファレンス電圧生成供給処理では、前記リファレンス電圧を前記映像信号の１垂直期間内で複数の液晶セル毎に変化させることを特徴としている。
【００２１】
請求項１３記載の発明は、請求項１０記載の液晶表示装置における液晶パネルの駆動方法に係り、前記リファレンス電圧生成供給処理では、前記リファレンス電圧を前記映像信号の１水平期間内及び１垂直期間内で前記各液晶セル毎に変化させることを特徴としている。
【００２２】
請求項１４記載の発明は、該当する画素データが印加される複数の信号線、走査信号が印加される複数の走査線、前記複数の信号線と前記複数の走査線との交差箇所に設けられた複数の液晶セル、及び前記各液晶セルに共通に接続されてコモン電圧が印加される１つのコモン電極を有する液晶パネルと、映像信号に対応した前記各画素データの極性を１水平期間毎又は１垂直期間毎にリファレンス電圧を中心として反転して前記各信号線に印加すると共に、設定された順序で前記走査信号を前記各走査線に印加する液晶駆動回路と、前記コモン電圧を生成するコモン電圧生成回路とを備えてなる液晶表示装置において、前記液晶パネルを駆動するための駆動方法に係り、前記コモン電圧を一定レベルの直流電圧として生成しておき、前記液晶パネルにおける前記各液晶セルの位置に応じて最適なレベルのオフセット電圧を生成し、前記映像信号に加えて前記液晶駆動回路に供給するオフセット電圧生成供給処理を行うことを特徴としている。
【００２３】
請求項１５記載の発明は、請求項１４記載の液晶表示装置における液晶パネルの駆動方法に係り、前記オフセット電圧生成供給処理では、前記オフセット電圧を前記映像信号の１水平期間内で複数の液晶セル毎に変化させることを特徴としている。
【００２４】
請求項１６記載の発明は、請求項１４記載の液晶表示装置における液晶パネルの駆動方法に係り、前記オフセット電圧生成供給処理では、前記オフセット電圧を前記映像信号の１垂直期間内で複数の液晶セル毎に変化させることを特徴としている。
【００２５】
請求項１７記載の発明は、請求項１４記載の液晶表示装置における液晶パネルの駆動方法に係り、前記オフセット電圧生成供給処理では、前記オフセット電圧を前記映像信号の１水平期間内及び１垂直期間内で前記各液晶セル毎に変化させることを特徴としている。
【００２６】
【発明の実施の形態】
以下、図面を参照して、この発明の実施の形態について説明する。
第１の実施形態
図１は、この発明の第１の実施形態である液晶表示装置の電気的構成を示すブロック図である。
この形態の液晶表示装置は、同図に示すように、液晶パネル４０と、液晶駆動回路５０と、コモン電圧生成回路６０と、タイミングジェネレータ７０と、ＤＡ（デジタル／アナログ）コンバータ８０とから構成されている。液晶パネル４０は、図２に示すように、該当する画素データＤが印加される複数の信号線Ｘ1 ，…，Ｘi ，…，Ｘn 、走査信号Ｖが印加される複数の走査線Ｙ1 ，…，Ｙj ，…，Ｙm 、各信号線Ｘ1 ，…，Ｘi ，…，Ｘn と各走査線Ｙ1 ，…，Ｙj ，…，Ｙm との交差箇所に設けられた複数のMOSFET４１ij（ｉ＝１，２，…，ｎ、ｊ＝１，２，…，ｍ）、液晶セル４２ij（ｉ＝１，２，…，ｎ、ｊ＝１，２，…，ｍ）、コンデンサ４３ij（ｉ＝１，２，…，ｎ、ｊ＝１，２，…，ｍ）、各コンデンサ４３ijに共通に接続されたＣｓ線、及び各液晶セル４２ijに共通に接続されてコモン電圧Ｖcom が印加されるコモン電極４４を有し、走査信号Ｖによって選択された走査線Ｙ1 ，…，Ｙj ，…，Ｙm 上の液晶セル４２ijに画素データＤを供給することによって画像を表示する。
【００２７】
液晶駆動回路５０は、映像信号ｉｎに対応した画素データＤの極性を１水平期間毎にリファレンス電圧Ｖｆを中心として反転して液晶パネル４０の各信号線Ｘ1 ，…，Ｘi ，…，Ｘn に印加すると共に、設定された順序で走査信号Ｖを各走査線Ｙ1 ，…，Ｙj ，…，Ｙm に印加する。コモン電圧生成回路６０は、コモン電圧Ｖcom を一定レベルの直流電圧として生成する。タイミングジェネレータ７０は、リファレンス電圧（デジタル値）Ｒを液晶パネル４０における各液晶セル４２ijの位置に応じて異なるレベルで生成し、特に、この実施形態では、同リファレンス電圧Ｒを映像信号ｉｎの１水平期間内で複数の液晶セル４２ij毎に変化させる構成となっている。ＤＡコンバータ８０は、リファレンス電圧（デジタル値）Ｒをデジタル／アナログ変換し、アナログ値のリファレンス電圧Ｖｆを液晶駆動回路５０に供給する。
【００２８】
図３は、図１中のタイミングジェネレータ７０の電気的構成を示すブロック図である。
このタイミングジェネレータ７０は、図３に示すように、カウンタ７１と、トリガジェネレータ７２と、コンパレータ７３，７４と、カルキュレータ７５とから構成されている。カウンタ７１は、水平同期信号Ｈsyncをリセットの基準とし、映像信号ｉｎのピクセルクロックをクロックｃｋとしてカウントしてカウント値ｈを出力する。トリガジェネレータ７２は、カウント値ｈとＤａｔａ Ａ（液晶パネルの主に解像度に基づくデータ）とに基づいてトリガ信号ａを一定の周期で出力する。この周期は、液晶パネル４０が例えばＸＧＡの解像度をもち、トリガジェネレータ７２が水平方向の画素１０２４を６４分割して１６ドット毎にトリガ信号ａを出力する場合の１期間である。
【００２９】
コンパレータ７３は、カウント値ｈとＤａｔａ Ｂ（液晶パネルの主に解像度に基づくデータ）とを比較して同カウント値ｈがＤａｔａ Ｂよりも大きいときに低レベル（以下、“Ｌ”という）のアクティブ期間設定信号ｂを出力する。コンパレータ７４は、カウント値ｈとＤａｔａ Ｃ（液晶パネルの主に解像度に基づくデータ）とを比較して同カウント値ｈがＤａｔａ Ｃよりも小さいときに“Ｌ”のアクティブ期間設定信号ｃを出力する。カルキュレータ７５は、アクティブ期間設定信号ｂ又はアクティブ期間設定信号ｃが出力されたとき、Ｄａｔａ Ｄ（液晶パネルの種類に基づくリファレンス電圧Ｒに対する調整用のデータ）に基づく値のリファレンス電圧Ｒを生成する。
【００３０】
図４は、図３のタイミングジェネレータ７０の動作を説明するためのタイムチャートである。
このタイミングジェネレータ７０では、図４に示すように、カウンタ７１から出力されるカウント値ｈに基づいて、トリガジェネレータ７２からトリガ信号ａが周期的（たとえば、１６クロック毎）に出力される。そして、アクティブ期間設定信号ｂが“Ｌ”のとき、リファレンス電圧Ｒは、“ｍ”→“ｍ＋ｐ”→“ｍ＋２ｐ”→・・・のように、トリガ信号ａのタイミングで“ｐ”ずつ加算された値として出力される。また、アクティブ期間設定信号ｃが“Ｌ”のとき、リファレンス電圧Ｒは、・・・→“ｍ＋２ｐ”→“ｍ＋ｐ”→“ｍ”のように、トリガ信号ａのタイミングで“ｐ”ずつ減算された値として出力される。すなわち、リファレンス電圧Ｒは、
“ｍ”→“ｍ＋ｐ”→“ｍ＋２ｐ”→・・・→“ｍ＋２ｐ”→“ｍ＋ｐ”
→“ｍ”
のように遷移する。このリファレンス電圧Ｒは、ＤＡコンバータ８０でデジタル／アナログ変換され、同ＤＡコンバータ８０から例えば図５に示すようなアナログのリファレンス電圧Ｖｆが出力される。この図５（ａ）では、リファレンス電圧Ｖｆが液晶パネル４０の中央部よりも周辺部において高くなっていることが示されている。また、図５（ｂ）では、図３中のカウンタ７１に水平同期信号Ｈsyncに代えて垂直同期信号Ｖsyncが入力された場合のリファレンス電圧Ｖｆが示され、同リファレンス電圧Ｖｆが液晶パネル４０の中央部よりも周辺部において高くなっていることが示されている。
【００３１】
図６は、液晶パネル４０におけるコモン電圧Ｖcom 、リファレンス電圧Ｖｆ及び画素データＤを示す図である
この図を参照して、この形態の液晶表示装置における液晶パネルの駆動方法について説明する。
この液晶表示装置では、液晶パネル４０に一定レベルのコモン電圧Ｖcom が供給されると共に、ＤＡコンバータ８０から液晶駆動回路５０にリファレンス電圧Ｖｆが供給され（リファレンス電圧生成供給処理）、画素データＤに対応した画像が表示される。この画素データＤは、１水平期間毎にリファレンス電圧Ｖｆを中心として反転されている。また、コモン電圧Ｖcom は、画素データＤが反転することによって発生するフリッカが最少になるように調整されている。図６に示すように、リファレンス電圧Ｖｆは、液晶パネル４０の中央部（Ｖｆ（１））よりも周辺部（Ｖｆ（２））において高いため、画素データＤは、同液晶パネル４０の中央部では破線で示すようになり、同液晶パネル４０の周辺部では実線で示すようになっている。
【００３２】
以上のように、この第１の実施形態では、リファレンス電圧Ｖｆを液晶パネル４０における各液晶セル４２ijの位置に応じて最適なレベルで生成して液晶駆動回路５０に供給するようにしたので、コモン電圧Ｖcom がコモン電極４４全体において一様になっていない場合でも、同液晶パネル４０全域においてフリッカの最も少ない状態に調整することができる。
【００３３】
第２の実施形態
図７は、この発明の第２の実施形態である液晶表示装置の電気的構成を示すブロック図であり、第１の実施形態を示す図１中の要素と共通の要素には共通の符号が付されている。
この形態の液晶表示装置では、図７に示すように、図１中のタイミングジェネレータ７０に代えて、異なる構成のタイミングジェネレータ７０Ａが設けられている。
【００３４】
図８は、図７中のタイミングジェネレータ７０Ａの電気的構成を示すブロック図であり、第１の実施形態を示す図３中の要素と共通の要素には共通の符号が付されている。
タイミングジェネレータ７０Ａは、カウンタ７１と、ＬＵＴ（Look Up Table 、ルック・アップ・テーブル）７６とから構成されている。ＬＵＴ７６は、たとえばＲＯＭ（Read Only Memory）やＲＡＭ（Randum Access Memory）などで構成され、各液晶セル４２ijに対応するリファレンス電圧Ｒの値を格納し、カウンタ７１から出力されるカウント値ｈに応じたリファレンス電圧Ｒを出力する。
【００３５】
この形態の液晶表示装置における液晶パネルの駆動方法では、ＬＵＴ７６からカウント値ｈに応じたリファレンス電圧Ｒが出力され、この後、第１の実施形態と同様に液晶パネル４０が駆動される。
【００３６】
以上のように、この第２の実施形態では、タイミングジェネレータ７０ＡにＬＵＴ７６が設けられ、同ＬＵＴ７６に各液晶セル４２ijに対応するリファレンス電圧Ｒの値が格納されているので、第１の実施形態の利点に加え、より簡単な構成で精密に調整されたリファレンス電圧Ｖｆが得られ、液晶パネル４０全域においてさらにフリッカの少ない状態に調整することができる。
【００３７】
第３の実施形態
図９は、この発明の第３の実施形態である液晶表示装置の電気的構成を示すブロック図であり、第１の実施形態を示す図１中の要素と共通の要素には共通の符号が付されている。
この形態の液晶表示装置では、図９に示すように、図１中のタイミングジェネレータ７０及びＤＡコンバータ８０が削除され、オフセット回路９０が設けられている。オフセット回路９０は、液晶パネル４０における各液晶セル４２ijの位置に応じて異なるレベルのオフセット電圧を生成し、特に、この実施形態では、水平同期信号Ｈsyncに基づいて同オフセット電圧を映像信号ｉｎの１水平期間内で複数の液晶セル４２ij毎に変化させ、映像信号ｉｎに加えて映像信号Ｑとして液晶駆動回路５０に供給する。なお、液晶駆動回路５０には、一定のレベルのリファレンス電圧Ｖｆが供給される。
【００３８】
図１０は、図９中のオフセット回路９０の動作を説明する図である。
この図を参照して、この形態の液晶表示装置における液晶パネルの駆動方法について説明する。
この液晶表示装置では、リファレンス電圧Ｖｆが一定の値に設定され、図１０に示すように、映像信号Ｑは、そのオフセット電圧が映像信号ｉｎの１水平期間内で各液晶セル４２ijの位置に応じて最適なレベルで調整されて液晶駆動回路５０に供給される。この後、第１の実施形態と同様に液晶パネル４０が駆動される。なお、この図１０では、映像信号ｉｎ，Ｑの波形は、“０００”〜“３ＦＦ”の１０ビットのデジタルデータをアナログデータで表したものである。
【００３９】
以上のように、この第３の実施形態では、オフセット電圧が各液晶セル４２ijの位置に応じて最適なレベルで調整された映像信号Ｑが液晶駆動回路５０に供給されるので、コモン電圧Ｖcom がコモン電極４４全体において一様になっていない場合でも、同液晶パネル４０全域においてフリッカの最も少ない状態に調整することができる。
【００４０】
以上、この発明の実施形態を図面により詳述してきたが、具体的な構成はこの実施形態に限られるものではなく、この発明の要旨を逸脱しない範囲の設計の変更などがあってもこの発明に含まれる。
例えば、図３に示すタイミングジェネレータ７０は、水平同期信号Ｈsyncに代えて垂直同期信号Ｖsyncを供給することにより、リファレンス電圧Ｒを映像信号ｉｎの１垂直期間内で複数の液晶セル４２ij毎に変化させる構成としても良い。また、タイミングジェネレータ７０は、水平同期信号Ｈsync及び垂直同期信号Ｖsyncを供給することにより、リファレンス電圧Ｒを映像信号ｉｎの１水平期間及び１垂直期間内で複数の液晶セル４２ij毎に変化させる構成としても良い。また、図９に示すオフセット回路９０は、水平同期信号Ｈsyncに代えて垂直同期信号Ｖsyncを供給することにより、映像信号Ｑのオフセット電圧を映像信号ｉｎの１垂直期間内で複数の液晶セル４２ij毎に変化させる構成としても良い。また、オフセット回路９０は、水平同期信号Ｈsync及び垂直同期信号Ｖsyncを供給することにより、映像信号Ｑのオフセット電圧を映像信号ｉｎの１水平期間及び１垂直期間内で複数の液晶セル４２ij毎に変化させる構成としても良い。
【００４１】
【発明の効果】
以上説明したように、この発明の構成によれば、リファレンス電圧を液晶パネルにおける各液晶セルの位置に応じて最適なレベルで生成して液晶駆動回路に供給するようにしたので、コモン電圧がコモン電極全体において一様になっていない場合でも、同液晶パネル全域においてフリッカの最も少ない状態に調整することができる。また、リファレンス電圧生成回路にＬＵＴが設けられ、同ＬＵＴに各液晶セルに対応するリファレンス電圧の値が格納されているので、より簡単な構成で精密に調整されたリファレンス電圧が得られ、液晶パネル全域においてさらにフリッカの少ない状態に調整することができる。また、オフセット電圧が各液晶セルの位置に応じて最適なレベルで調整された映像信号が液晶駆動回路に供給されるので、コモン電圧がコモン電極全体において一様になっていない場合でも、同液晶パネル全域においてフリッカの最も少ない状態に調整することができる。
【図面の簡単な説明】
【図１】この発明の第１の実施形態である液晶表示装置の電気的構成を示すブロック図である。
【図２】図１中の液晶パネル４０の電気的構成を示す図である。
【図３】図１中のタイミングジェネレータ７０の電気的構成を示すブロック図である。
【図４】図３のタイミングジェネレータ７０の動作を説明するためのタイムチャートである。
【図５】液晶駆動回路５０に供給されるリファレンス電圧Ｖｆを示す図である。
【図６】液晶パネル４０におけるコモン電圧Ｖcom 、リファレンス電圧Ｖｆ及び画素データＤを示す図である。
【図７】この発明の第２の実施形態である液晶表示装置の電気的構成を示すブロック図である。
【図８】図７中のタイミングジェネレータ７０Ａの電気的構成を示すブロック図である。
【図９】この発明の第３の実施形態である液晶表示装置の電気的構成を示すブロック図である。
【図１０】図９中のオフセット回路９０の動作を説明する図である。
【図１１】従来の液晶表示装置の構成図である。
【図１２】図１１中の液晶パネル１０の電気的構成を示す図である。
【図１３】液晶パネル１０におけるコモン電圧Ｖcom 、リファレンス電圧Ｖｆ及び画素データＤを示す図である。
【符号の説明】
４０      液晶パネル
４１ij      MOSFET
４２ij 液晶セル
４３ij      コンデンサ
４４      コモン電極
５０      液晶駆動回路
６０      コモン電圧生成回路
７０，７０Ａ      タイミングジェネレータ（リファレンス電圧生成回路）
７６      ＬＵＴ（ルック・アップ・テーブル、リファレンス電圧生成回路）  ８０      ＤＡコンバータ（リファレンス電圧生成回路）
９０      オフセット回路
Ｘ1 ，…，Ｘi ，…，Ｘn       信号線
Ｖ      走査信号
Ｙ1 ，…，Ｙj ，…，Ｙm       走査線
Ｘ1 ，…，Ｘi ，…，Ｘn       信号線
Ｖcom       コモン電圧
Ｖ      走査信号
Ｄ      画素データ
Ｖｆ      リファレンス電圧